(57)【特許請求の範囲】
【請求項１】
被写体像を撮像して画像データを生成する撮像手段と、
前記撮像手段により生成される画像データをアルバムデータにリンクさせてアルバムを作成するアルバム作成手段と、
前記アルバムにおいて前記画像データを表示する画像枠のレイアウト情報を含むテンプレートを記憶する記憶手段と、
前記記憶手段から読み出したテンプレート上に画像データを挿入して表示するアルバム表示手段と、
前記アルバム表示手段により表示されたテンプレート上の位置の指定を受け付ける指定手段と、
前記アルバム表示手段により前記アルバムを表示中に、前記指定手段によって前記テンプレート上の画像枠が指定された場合に、当該画像枠が既存の画像枠であるのか、当該既存の画像枠の後に新たに作成される最新の画像枠であるのか判定する判定手段と、
前記判定手段による判定の結果、前記最新の画像枠が指定された場合には前記撮像手段により生成された画像データを当該画像枠に挿入する画像枠撮影モードを実行し、前記既存の画像枠が指定された場合には既にある画像データから当該既存の画像枠に挿入する画像データを選択するための画像選択モードを実行するように制御する制御手段とを有することを特徴とする撮像装置。
【請求項２】
前記アルバム上の複数の画像枠には所定のシーケンス番号が付されており、
前記制御手段は、前記既存の画像枠の中で順番が最後である最後の既存画像枠が指定された場合に、前記指定手段により指定された画像枠のシーケンス番号が、前記最後の既存画像枠のシーケンス番号より大きい値の場合、前記画像枠撮影モードを実行し、
前記指定手段により指定された画像枠のシーケンス番号が、前記最後の既存画像枠のシーケンス番号と同じか小さい値の場合、前記画像選択モードを実行することを特徴とする請求項１に記載の撮像装置。
【請求項３】
前記画像選択モードでは、前記指定された画像枠の前方及び後方の画像枠に挿入された画像の撮影日時の間の時間に撮影された画像を候補としてサブウィンドウに選択可能に表示することを特徴とする請求項１または２に記載の撮像装置。
【請求項４】
前記指定手段はタッチパネルであり、
前記アルバム上の位置の指定は、ユーザが前記タッチパネルを操作することにより行うことを特徴とする請求項１乃至３のいずれか１項に記載の撮像装置。
【請求項５】
撮像手段により被写体像を撮像しながらアルバムを作成する機能を有する撮像装置におけるアルバム作成方法であって、
前記撮像手段により生成される画像データをアルバムデータにリンクさせてアルバムを作成するアルバム作成工程と、
前記アルバムにおいて前記画像データを表示する画像枠のレイアウト情報を含むテンプレートを記憶部に記憶する記憶工程と、
前記記憶部から読み出したテンプレート上に前記画像データを挿入して表示するアルバム表示工程と、
前記アルバム表示工程により表示されたテンプレート上の位置の指定を受け付ける指定工程と、
前記アルバムを表示中に、前記テンプレート上の画像枠が指定された場合に、当該画像枠が既存の画像枠であるのか、当該既存の画像枠の後に新たに作成される最新の画像枠であるのか判定する判定工程と、
前記判定の結果、前記最新の画像枠が指定された場合には前記撮像手段により生成された画像データを当該画像枠に挿入する画像枠撮影モードを実行し、前記既存の画像枠が指定された場合には既にある画像データから当該既存の画像枠に挿入する画像データを選択するための画像選択モードを実行するように制御する制御工程と、を有することを特徴とするアルバム作成方法。
【請求項６】
コンピュータを、請求項１乃至４のいずれか１項に記載の撮像装置の各手段として機能させるためのプログラム。
【請求項７】
コンピュータを、請求項１乃至４のいずれか１項に記載の撮像装置の各手段として機能させるためのプログラムを記憶したコンピュータによる読み取りが可能な記憶媒体。
【発明の詳細な説明】
【技術分野】
【０００１】
本発明は、画像を撮影しながらアルバムを作成する撮像装置に関する。
【背景技術】
【０００２】
従来、画像を撮影しながら撮影画像を所望の配置にレイアウトし、アルバムを生成することが可能なデジタルカメラが提案されている。
【０００３】
例えば特許文献１では、複数の画像枠が設けられたテンプレートのいずれかの画像枠に撮像部からのスルー画像を表示させてアルバムを生成することができるデジタルカメラが開示されている。一方、特許文献２では、任意の画像をアルバムの背景画像として設定し、アルバムの見栄えを良くする画像編集装置が提案されている。また、特許文献３には、撮影画像をアルバムに登録する機能を有する撮像装置が提案されている。この撮像装置では、ボタン操作によって表示部に、スルー画像をライブビュー表示する撮影モード、画像ファイルを表示する再生モード、アルバムファイルを表示するアルバム再生モードを切り替え可能となっている。
【先行技術文献】
【特許文献】
【０００４】
【特許文献１】特開２００８−０１７２３８号公報
【特許文献２】特開２００２−１１１９９５号公報
【特許文献３】特開２００４−２７４５００号公報
【発明の概要】
【発明が解決しようとする課題】
【０００５】
従来、撮像装置が画像を撮影しながら撮影画像を所望の配置にレイアウトし、アルバムの編集を行う場合、画像の撮影、撮影画像を挿入する画像枠の選択、アルバムのレイアウト確認など多くの作業を行う必要がある。そして、これらの作業を切り替えるごとに、ユーザは特定の操作部材を操作しなければならず、各種モードへ遷移する作業が煩雑となる。
【０００６】
本発明は、上記課題に鑑みてなされ、その目的は、画像の撮影とアルバム編集とを並行して行うことが可能な撮像装置において、各種モードへの遷移を煩雑な作業なしに行うことができる撮像装置を実現することである。
【課題を解決するための手段】
【０００７】
上記課題を解決し、目的を達成するために、本発明の撮像装置は、被写体像を撮像して画像データを生成する撮像手段と、前記撮像手段により生成される画像データをアルバムデータにリンクさせてアルバムを作成するアルバム作成手段と、前記アルバムにおいて前記画像データを表示する画像枠のレイアウト情報を含むテンプレートを記憶する記憶手段と、前記記憶手段から読み出したテンプレート上に画像データを挿入して表示するアルバム表示手段と、前記アルバム表示手段により表示されたテンプレート上の位置の指定を受け付ける指定手段と、前記アルバム表示手段により前記アルバムを表示中に、前記指定手段によって前記テンプレート上の画像枠が指定された場合に、当該画像枠が既存の画像枠であるのか、当該既存の画像枠の後に新たに作成される最新の画像枠であるのか判定する判定手段と、前記判定手段による判定の結果、前記最新の画像枠が指定された場合には前記撮像手段により生成された画像データを当該画像枠に挿入する画像枠撮影モードを実行し、前記既存の画像枠が指定された場合には既にある画像データから当該既存の画像枠に挿入する画像データを選択するための画像選択モードを実行するように制御する制御手段とを有する。
【発明の効果】
【０００８】
本発明によれば、画像の撮影とアルバムの編集とを並行して行うことができる撮像装置において、各種モードへの遷移を煩雑な作業なしに行うことができる。
【図面の簡単な説明】
【０００９】
【図１】本発明に係る実施形態のデジタルカメラの外観を正面（ａ）及び背面（ｂ）から見た図。
【図２】本実施形態のデジタルカメラのブロック図。
【図３】本実施形態のデジタルカメラにより表示される、アルバムプレビュー画面（ａ）、画像枠撮影画面（ｂ）、画像枠撮影後のアルバムプレビュー画面（ｃ）、背景撮影画面（ｄ）、背景撮影後のアルバムプレビュー画面（ｅ）、背景挿入範囲選択画面（ｆ）、背景画像処理選択画面（ｇ）、見開き両ページの背景撮影画面（ｈ）、見開き両ページの背景撮影後のアルバムプレビュー画面（ｉ）を例示する図。
【図４】テンプレートを表示するＸＭＬソースを示す図。
【図５】本実施形態のデジタルカメラのアルバム作成処理（ａ）、画像枠撮影処理（ｂ）、背景撮影処理（ｃ）を示す各フローチャート。
【図６】実施形態２の背景撮影処理を示すフローチャート。
【図７】実施形態３のデジタルカメラにおけるアルバム表示モード（ａ）、画像枠撮影モード（ｂ）、画像選択モード（ｃ）を例示する図。
【図８】実施形態３のデジタルカメラによるアルバム作成処理を示すフローチャート。
【図９】本実施形態の画像枠撮影モードでのページレイアウト結果を例示する図。
【図１０】本実施形態の画像選択モードでのページレイアウト結果を例示する図。
【図１１】本実施形態の画像選択モードでのページレイアウト結果を例示する図。
【発明を実施するための形態】
【００１０】
以下に、本発明を実施するための形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。また、後述する各実施形態の一部を適宜組み合わせて構成してもよい。
【００１１】
＜デジタルカメラの構成＞図１及び図２を参照して、本実施形態のデジタルカメラ１００の構成について説明する。なお、本実施形態のデジタルカメラ１００は、指定された画像枠に挿入する被写体を撮影する画像枠撮影モード、撮影画像を指定した画像枠に挿入したプレビュー画面を表示するページレイアウト表示モード、背景に挿入する画像を撮影する背景撮影モードを有する。
【００１２】
図１において、１０１はタッチパネル機能を備えるＬＣＤである。１０２はシャッターボタンである。１０３はストロボである。
【００１３】
図２において、２０１は制御部であり、デジタルカメラ１００の全体の制御を行う。制御部２０１は、例えばＣＰＵから構成される。
【００１４】
２０２はメモリであり、主に制御部２０１が実行するプログラム格納領域、プログラム実行中のワーク領域、後述する表示部２０５に表示する画面データの格納領域等、様々なデータの格納領域として使用される。
【００１５】
２０３は記憶部であり、例えばフラッシュメモリ、ハードディスク等で構成され、撮影された静止画やテンプレート等を保存するために使用される。テンプレートには、アルバムデータにおける画像枠のページレイアウト情報が含まれる。
【００１６】
２０４は撮像部であり、被写体像を撮像して得られたアナログ画像信号をデジタルデータに変換した後、ＡＤＣＴ（適応離散コサイン変換）等によりデータの圧縮処理を行い、画像データとしてメモリ２０２に出力する。また撮像部２０４は、ズーム、フォーカス、絞り調整などの制御も行う。
【００１７】
２０５は表示部であり、例えば液晶ディスプレイ、有機ＥＬディスプレイ等で構成される。
【００１８】
２０６は操作部であり、例えばボタン、十字キー、ダイヤル、タッチパネル等で構成され、ユーザによる操作内容を制御部２０１に通知する。
【００１９】
なお、上述した図２の構成は、本発明に係る撮像装置を適用した実施形態の一例を説明したものであり、通信部、音声出力部を備えるなど、本発明の要旨の範囲内で、種々の変形及び変更が可能である。
【００２０】
＜デジタルカメラの画面＞次に、図１及び図２のほか、図３乃至図６を参照して、実施形態１に係るデジタルカメラに表示される画面について説明する。
【００２１】
図３（ａ）は、本実施形態のデジタルカメラのアルバムプレビュー画面に、予め選択されているアルバムのテンプレートが表示されている状態を示している。
【００２２】
３００は、現在プレビュー中のテンプレート上の既に撮影した静止画が関連付けられている画像枠である。３０１は、静止画が関連付けられていない画像枠未撮影の画像枠である。ユーザは３００、３０１のような画像枠にタッチすることで、その画像枠に関連付ける静止画を撮影することができる。３０２は、テンプレートの画像枠外の背景である。ユーザは、３０２のような背景の領域にタッチすることで、撮影した静止画を背景に挿入することができる。
【００２３】
３０３、３０４は、表示されているテンプレートのページ戻し・送りボタンであり、ユーザはタッチすることでテンプレートのページをめくることができる。３０５は、終了ボタンである。ユーザは終了ボタンにタッチすることで、アルバムプレビュー画面を終了することができる。
【００２４】
図３（ｂ）は、図３（ａ）の３０１のような未撮影の画像枠がユーザによってタッチされたときに表示される画像枠撮影画面である。３１０は、スルー画像が表示されている画像枠である。
【００２５】
図３（ｃ）は、図３（ｂ）において画像枠撮影後のアルバムプレビュー画面である。３２０は、撮影された静止画が関連付けられている画像枠である。
【００２６】
図３（ｄ）は、図３（ａ）の３０２のような背景がユーザによってタッチされたときに表示される背景撮影画面である。３３０は、スルー画像が表示されている背景である。
【００２７】
図３（ｅ）は、図３（ｄ）において背景撮影後のアルバムプレビュー画面である。３４０は、撮影された静止画が挿入されている背景である。
【００２８】
図４は、アルバムのテンプレートを表示するための具体的なＸＭＬソースを示し、（ａ）は、図３（ａ）を表示するテンプレートである。
【００２９】
４１０は、テンプレートのタイトルを示すタグである。
【００３０】
４１１は、ページの区切りを示すタグである。“ｌｏｃａｔｅ”は、アルバムの見開きの左側・右側を示す。
【００３１】
４１２は、ページの背景画像を関連付けるタグである。“ｂｒｉｇｈｔｎｅｓｓ”は、関連付けられた画像の明るさを示すパラメータであり、“ｍｏｄｅ”は、関連付けられた画像の画像処理方法を示すパラメータであり、詳細は後述する。
【００３２】
４１３、４１４は、テンプレート上の画像枠を示すタグである。“ｘ”、“ｙ”は、ページ上の座標を、“ｗｉｄｔｈ”、“ｈｅｉｇｈｔ”は関連付けられた画像の表示サイズを示している。４１３には、静止画ＩＭＧ＿００２９．ＪＰＧが関連付けられている。４１４は、未撮影の画像枠を示しており、静止画が関連付けられていない。
【００３３】
図４（ｂ）は、図３（ｃ）を表示するテンプレートである。
【００３４】
４２０は、図３（ｃ）において画像１３２０が関連付けられた画像枠のタグである。
【００３５】
図４（ｃ）は、図３（ｅ）を表示するテンプレートである。
【００３６】
４３０は、図３（ｅ）において画像１３４０が背景として挿入された背景のタグである。
【００３７】
本実施形態においては、テンプレートの記述言語にＸＭＬを採用しているが、この限りではない。本発明は、テンプレートの表現に必要十分な他のあらゆる記述言語によって実施可能である。
【００３８】
＜デジタルカメラの動作＞図５（ａ）を参照して、本実施形態のデジタルカメラのアルバム作成処理について説明する。
【００３９】
なお、以下の処理は、制御部２０１が記憶部２０３に格納されたプログラムをメモリ２０２に展開して実行することによって実現される。
【００４０】
図５（ａ）において、ステップＳ５００では、制御部２０１はテンプレート選択処理（不図示）を行う。テンプレート選択処理では、制御部２０１は、記憶部２０３に記憶されているテンプレートのリストを表示部２０５に表示し、これから表示を行うテンプレートの選択をユーザに促し、ユーザの選択結果を操作部２０６から取得する。更に制御部２０１は、選択されたテンプレートを記憶部２０３より読み出しメモリ２０２に記憶し、プレビュー表示ページ番号として先頭の２ページ分のページ番号をメモリ２０２に記憶する。
【００４１】
ステップＳ５０１では、制御部２０１は、メモリ２０２に記憶されているテンプレートの、プレビュー表示ページ番号に示される２ページ分を、アルバムプレビュー画面として表示部２０５に表示する。図３（ａ）に表示結果を例示する。
【００４２】
ステップＳ５０２では、制御部２０１は、操作部２０６から通知されるユーザによる画面のタッチ入力を待ち、タッチ入力がページ戻しボタン３０３、ページ送りボタン３０４であった場合は、ステップＳ５０３に移行する。
【００４３】
ステップＳ５０３では、制御部２０１はページ切り替え処理（不図示）を行い、ステップＳ５０１に戻る。ページ切り替え処理では、制御部２０１は、メモリ２０２に記憶されているプレビュー表示ページ番号を読み出し、ページ戻しボタン３０３の場合は２を減算、ページ送りボタン３０４の場合は２を加算して、メモリ２０２のプレビュー表示ページ番号を更新する。
【００４４】
一方、ステップＳ５０２にてタッチ入力が３００，３０１に示すような画像枠であった場合は、ステップＳ５１０にて、制御部２０１は、画像枠撮影処理を行う。
【００４５】
ここで、ステップＳ５１０での画像枠撮影処理について、図５（ｂ）を参照して説明する。
【００４６】
図５（ｂ）において、ステップＳ５１１では、制御部２０１は、タッチ入力の対象となった画像枠に、撮像部２０４から取得する画像データを、スルー画像として表示する。図３（ｂ）に表示結果を例示する。
【００４７】
ステップＳ５１２では、制御部２０１は、操作部２０６より通知されるシャッターボタン１０２の押下を待つ。シャッターボタン１０２の押下が操作部２０６より通知された場合は、制御部２０１は、ステップＳ５１３に戻る。
【００４８】
ステップＳ５１３では、制御部２０１は、撮像部２０４よりメモリ２０２に出力された画像データを静止画として記憶部２０３に保存し、ステップＳ５１２にてスルー画像を表示した画像枠にこの静止画を関連付けるよう記憶部２０３のテンプレートを更新する。図４（ａ）に更新前のテンプレートを、図４（ｂ）に更新後のテンプレートをそれぞれ例示する。
【００４９】
ステップＳ５１０での画像枠撮影処理の実行後、ステップＳ５０１に戻る。図３（ｃ）に、画像枠撮影処理後のステップＳ５０１における画面表示を例示する。
【００５０】
一方、ステップＳ５０２におけるタッチ入力が、３０２に示すような背景であった場合は、ステップＳ５２０に移行し、制御部２０１は、背景撮影処理を行う。
【００５１】
ここでステップＳ５２０での背景撮影処理について、図５（ｃ）を参照して説明する。  図５（ｃ）において、ステップＳ５２１では、制御部２０１は、タッチ入力の対象となったページの背景に、撮像部２０４から取得する画像データを、スルー画像として表示する。図３（ｄ）に表示結果を例示する。
【００５２】
ステップＳ５２２では、制御部２０１は、操作部２０６より通知されるシャッターボタン１０２の押下を待ち、シャッターボタン１０２の押下が操作部２０６より通知された場合は、ステップＳ５２３に移行する。
【００５３】
ステップＳ５２３では、制御部２０１は、撮像部２０４からメモリ２０２に出力された画像データを静止画データとして記憶部２０３に保存する。また、ステップＳ５１２にてスルー画像を表示したページの背景にこの静止画をリンクさせるよう記憶部２０３のテンプレートを更新する。図４（ｂ）は更新前のテンプレートを、図４（ｃ）は更新後のテンプレートをそれぞれ例示している。ここでユーザは、テンプレート上の画像枠の位置や大きさを考慮しつつ、テンプレートの背景に表示されるスルー画像を好適な構図にした上で撮影を行うことで、見栄えの良い背景画像が挿入されたアルバムを得ることができる。
【００５４】
ステップＳ５２０での背景撮影処理の後、ステップＳ５０１に戻る。図３（ｅ）に背景撮影処理後のステップＳ５０１における画面表示を例示する。
【００５５】
ステップＳ５０２におけるタッチ入力が、終了ボタン３０５であった場合は、制御部２０１は本処理を終了する。
【００５６】
［実施形態２］実施形態１では、テンプレートをプレビュー表示中に背景をタッチすることによって、背景にスルー画像を表示して静止画を撮影可能とし、撮影した静止画をテンプレートに背景画像として挿入することが可能な例を説明した。しかしながら、実施形態１では、ユーザはテンプレートの複数のページに背景画像を挿入したい場合は、ページ毎に背景のタッチと撮影を行うようになっているが、一度の背景のタッチと撮影により複数のページの背景を設定できるようにしてもよい。
【００５７】
また実施形態１では、背景として挿入する静止画に対して、背景画像用にどのような画像処理を施すかをユーザが設定することはできないようになっている。これに対して、テンプレートや画像枠のレイアウトに合わせて背景画像に施す画像処理の内容をユーザが設定できるようにしてもよい。
【００５８】
上記のような場合を、図１及び図２の他、図３乃至図６を参照して実施形態２として説明する。なお、図３（ｆ）〜（ｉ）、図４（ｄ）、図６以外は実施形態１と同様であるため説明を省略する。また、デジタルカメラ１００の構成は図１及び図２と同様である。
【００５９】
図３（ｆ）は、図３（ａ）の３０２のような背景がユーザによってタッチされたときに表示される背景挿入範囲選択画面である。本画面により、ユーザはこれから撮影を行う静止画を挿入するページを選択することができる。
【００６０】
図３（ｇ）は、図３（ｆ）の背景挿入範囲選択画面に続いて表示される背景画像処理選択画面である。本画面により、ユーザはこれから撮影を行う静止画にどのような画像処理を施して背景として挿入するかを選択することができる。
【００６１】
図３（ｈ）は、図３（ｆ）背景挿入範囲選択画面において、「タッチしたページの見開き両ページ」が選択された場合の背景撮影画面である。３５０は、アルバムを開いた左右両ページに渡ってスルー画像が表示されている背景である。
【００６２】
図３（ｉ）は、図３（ｇ）の背景画像処理選択画面において、「明るさ変更」は変更なし（即ち、０）、「色調変更」として「セピア（ｍｏｄｅ２）」が選択された場合の撮影が行われた後のアルバムプレビュー画面である。３６０は、撮影された静止画に画像処理が施されて挿入されている背景である。
【００６３】
図４（ｄ）は、図３（ｉ）を表示するテンプレートである。
【００６４】
図４（ｄ）において、４４０の“ｂｒｉｇｈｔｎｅｓｓ”は、背景の明るさを示しており、背景の明るさが変更なしであることを示す「０」となっている。４４１の“ｍｏｄｅ”は、関連付けられた画像に対する画像処理方法を示しており、画像処理方法が「セピア（ｍｏｄｅ２）」であることを示す「２」となっている。４４２“ｐａｇｅｓｐａｎ”は、本タグによる背景画像の挿入が何ページにわたるかを示しており、背景画像が２ページにわたることを示す「２」となっている。
【００６５】
ここで、本実施形態のデジタルカメラのアルバム作成処理（図５（ａ））における、背景撮影処理について、図６を参照して説明する。
【００６６】
なお、以下の処理は、制御部２０１が記憶部２０３に格納されたプログラムをメモリ２０２に展開して実行することによって実現される。
【００６７】
図６において、ステップＳ６０１では、制御部２０１は、背景挿入範囲選択画面を表示部２０５に表示し、ユーザに対して、これから撮影を行う静止画を挿入するページの選択を促す。背景挿入範囲選択画面を図３（ｆ）に例示する。
【００６８】
ステップＳ６０２では、制御部２０１は、操作部２０６から通知されるユーザによるＯＫボタンのタッチ入力を待つ。操作部２０６からＯＫボタンのタッチ入力が通知された場合は、制御部２０１は、操作部２０６から取得できるユーザが選択したこれから撮影を行う静止画を挿入するページの情報を、挿入範囲情報としてメモリ２０２に記憶する。
【００６９】
ステップＳ６０３では、制御部２０１は、背景処理内容選択画面を表示部２０５に表示し、ユーザに対して、これから撮影を行う静止画に施す画像処理の内容の選択を促す。背景処理内容選択画面を図３（ｇ）に例示する。
【００７０】
ステップＳ６０４では、制御部２０１は、操作部２０６から通知されるユーザによるＯＫボタンのタッチ入力を待つ。操作部２０６からＯＫボタンのタッチ入力が通知された場合は、制御部２０１は、操作部２０６から取得できる明るさ変更、及び色調変更の情報を、背景画像処理情報としてメモリ２０２に記憶する。
【００７１】
ステップＳ６０５では、制御部２０１は、メモリ２０２に保持されている挿入範囲情報が「タッチしたページを含む見開き両ページ」であれば、メモリ２０２に保持されているプレビュー表示ページ番号のページとその次のページの背景に撮像部２０４から出力される画像データを、スルー画像として表示する。また、それ以外であればタッチ入力の対象となったページの背景に、撮像部２０４から出力される画像データを、スルー画像として表示する。制御部２０１は、このとき表示するスルー画像に対して、メモリ２０２に保存されている背景画像処理情報の内容に従う画像処理を施し、表示する。挿入範囲情報が「タッチしたページを含む見開き両ページ」であった場合の背景撮影画面を、図３（ｈ）に例示する。
【００７２】
ステップＳ６０６では、制御部２０１は、操作部２０６より通知されるシャッターボタン１０２の押下を待ち、シャッターボタンの押下が操作部２０６より通知された場合は、ステップＳ６０７に移行する。
【００７３】
ステップＳ６０７では、制御部２０１は、撮像部２０４よりメモリ２０２に出力された画像データを静止画として記憶部２０３に保存する。そして、メモリ２０２に保存されている挿入範囲情報に対応するページの“ｂａｃｋｇｒｏｕｎｄ”タグにこの静止画を関連付けるよう記憶部２０３のテンプレートを更新する。このとき、“ｂａｃｋｇｒｏｕｎｄ”タグの“ｂｒｉｇｈｔｎｅｓｓ”パラメータ、“ｍｏｄｅ”パラメータを、メモリ２０２に保存されている背景画像処理情報に従い付加する。図４（ｂ）に更新前のテンプレートを、図４（ｄ）に更新後のテンプレートを例示する。
【００７４】
上記実施形態１，２は必ずしも上述の限りでなく、部分的に変更されてもよい。即ち、
（１）背景挿入範囲の選択に関して、本実施形態では、「タッチしたページ」、「タッチしたページを含む見開き両ページ」、「全ページ」、及び「指定ページ」の４種類を採用しているが、これらに限られない。すなわち、いずれのページに背景を挿入するかを特定できるのであれば、これら以外の様々な選択肢の種類や指定方法を採用可能である。
（２）背景画像に施す画像処理の種類として、本実施形態では「明るさの変更」、「色調の変更」を採用しているが、これに限られず、アルバムの見栄えを良くするために背景画像に施しうる他の様々な種類の画像処理が採用可能である。
（３）実施形態２では、背景挿入範囲の選択と、背景画像に施す画像処理の選択の双方を受け付けるようになっているが、どちらか一方のみを受け付けるように変更してもよい。
（４）実施形態２では、背景挿入範囲の選択、及び背景画像に施す画像処理の選択を、背景の位置指定を受け付けた際に受け付けるようになっているが、背景画像として挿入する静止画を撮影した後に受け付けるようにしてもよい。即ち、図６におけるステップＳ６０１〜Ｓ６０４の処理は、同図のステップＳ６０６とＳ６０７との間に実行してもよい。
【００７５】
［実施形態３］次に、実施形態３について説明する。本実施形態のデジタルカメラ１００は、画像枠撮影モード、ページレイアウト表示モードの他、指定された画像枠に挿入する既存の画像を選択する画像選択モードを有する。
【００７６】
なお、本実施形態のデジタルカメラ１００の構成は、装置本体の背面に十字キー１０４が設けられていること以外は図１及び図２と同様である。なお、本実施形態は、十字キーに限らず、上述した実施形態のようにタッチパネルで操作してもよい。
【００７７】
図７（ａ）はアルバム表示モード、図７（ｂ）は画像枠撮影モード、図７（ｃ）は画像選択モードをそれぞれ例示している。
【００７８】
図７（ａ）は本実施形態のアルバム表示モードを示している。７０４はＬＣＤ１０１上に表示されたアルバムデータである。本実施形態ではアルバムに含まれる複数のページのうち、見開き２ページが表示される。アルバムデータ７０４の左上、右上に表示されているＰ４、Ｐ５という表示は、それぞれアルバムに含まれるページのうち何ページ目にあたるかを表している。７０５〜７０８はアルバムデータのＰ４、Ｐ５ページ上にレイアウトされた画像枠を示している。
【００７９】
図７（ａ）において、７０５〜７０７は既に画像データが挿入された既存の画像枠を示しており、枠７０８は画像データがまだ挿入されていない最新の画像枠を示している。なお、このアルバムデータにおいて、画像枠７０５〜７０８は所定のシーケンス番号が付されている。なお、１つのアルバムを構成する全てのページの画像枠は一貫した固有のシーケンス番号が付される。
【００８０】
図７（ｂ）はデジタルカメラ１００の画像枠撮影モードを示している。図７（ｂ）における画像枠７０８は、撮像部２０４によって得られるスルー画像をリアルタイムでライブビュー表示する。そして、シャッターボタン１０２を押されたとき、画像枠７０８に表示されているスルー画像に基づき画像データを生成し、画像枠７０８に関連付けて記録する。このようにして、画像枠にユーザの所望の画像データを挿入することができる。
【００８１】
図７（ｃ）は画像選択モードを示している。図７（ｃ）における７０９は画像候補ウインドウであり、後述するメモリカードから画像データ７１１〜７１５を読み出し、画像枠７０６に挿入できる候補として表示している。画像候補７１０〜７１５は撮影時刻の順番で表示されている。ユーザがＬＣＤ１０１の上に配置されたタッチパネル部により、画像候補７１０〜７１５のどれかを選択すると、画像枠７０６には選択された画像データが挿入されることになる。
【００８２】
図８は、実施形態３のアルバム作成処理を示すフローチャートである。図９は、本実施形態の画像枠撮影モードでのページレイアウト結果を例示している。図１０及び図１１は、本実施形態の画像選択モードでのページレイアウト結果を例示している。
【００８３】
なお、以下の処理は、制御部２０１が記憶部２０３に格納されたプログラムをメモリ２０２に展開して実行することによって実現される。
【００８４】
図８において、アルバム作成処理の開始時には、図５（ａ）のステップＳ５０３にてページ切り替え処理が行われ、初期のアルバムデータの状態が図９（ａ）のように見開きページＰ４、Ｐ５が表示された状態となる。加えて、画像枠９１０以降の画像枠、すなわちＰ８以降のアルバム上での画像枠は全て画像データが挿入されていない空白の画像枠であるとする。
【００８５】
ステップＳ８０１では、制御部２０１は、ページレイアウト９０１をＬＣＤ１０１に表示している。
【００８６】
ステップＳ８０２では、制御部２０１は、ユーザ操作による所定の終了要求があれば、本処理を終了し、終了要求がなければ、ステップＳ８０２に移行する。
【００８７】
ステップＳ８０３では、制御部２０１は、十字キー１０４を左右を操作することでステップＳ８０４に移行し、ページレイアウト９０１を変更することができる。ここでは十字キー１０４の右方向を押すことで、ＬＣＤ１０１に表示されているページレイアウトは９０１から、アルバムのＰ６〜Ｐ７のデータであるページレイアウト９０６に切り替わる。
【００８８】
その後、ステップＳ８０１に戻り、十字キー１０４を操作しなければ、ステップＳ８０６まで進み、制御部２０１は、画像枠の選択を行う。ここでの画像枠の選択は、ユーザが、デジタルカメラ１００の操作部２０６の１つであるタッチパネルを介してＬＣＤ１０１に表示されている画像枠をタッチすることで行う。ここでは、図９（ａ）の画像枠９１０が選択されるものとする。
【００８９】
ステップＳ８０６で画像枠が選択されると、制御部２０１は、ステップＳ４０７にて、選択された画像枠５１０に付されているシーケンス番号Ｎを取得し、メモリ２０２に保持する。
【００９０】
ステップＳ８０８では、制御部２０１は、最後の既存画像枠のシーケンス番号ＮＬを取得する。最後の既存画像枠とは、アルバムデータ中の全ての画像枠の中で、画像が既に挿入されていて、かつシーケンス番号が最も大きい値を持つ画像枠のことである。この場合、画像枠９０５が最後の既存画像枠に相当し、画像枠９０５のシーケンス番号をＮＬとし、メモリ２０２において保持する。続いてステップＳ８０９では、制御部２０１はシーケンス番号ＮとＮＬを比較する。
【００９１】
図９（ａ）において画像枠９１０を選択した場合、Ｎ＝画像枠９１０のシーケンス番号と、ＮＬ＝画像枠９０５のシーケンス番号を比較することから、ステップＳ８０９の判定の結果はＹＥＳとなり、ステップＳ８１０に移行する。
【００９２】
ステップＳ８１０では、図９（ｂ）のように画像枠９１０がスルー画像の表示に切り替わり、ユーザの任意の構図でシャッターボタン１０２を押して、撮影された画像データは記憶部２０３に保存される（ステップＳ８１１）。また、ステップＳ８１２では、撮影された画像が図９（ｂ）のように画像枠９１０に挿入されるようアルバムデータが更新され、その後、ステップ８０１に戻り、アルバムレイアウト表示を行う。
【００９３】
次に、ステップＳ８０６において、図９（ｂ）の状態から、再度画像枠９１０が選択されたとする。この場合、Ｎは画像枠９１０のシーケンス番号となり（ステップＳ８０７）、ＮＬも画像枠９１０のシーケンス番号となる（ステップＳ８０８）。このときＮ＝ＮＬとなる。そして、ステップＳ８０９での判定の結果がＹＥＳとなり、ステップＳ８１０に移行する。
【００９４】
その後、ステップＳ８１０〜Ｓ８１２において、新しい画像データが記憶部２０３に保存され、その画像が画像枠９１０に挿入される。事前に画像枠９１０に挿入されていた画像データは記憶部２０３には残っているが、アルバム上には存在しない画像となる。
【００９５】
上述した画像枠９１０を選択して撮影する動作を、４回繰り返した状態が図９（ｃ）の状態であるとする。
【００９６】
再度ステップＳ８０１に戻り、同様の処理を経てステップＳ８０６に進むと、ＬＣＤ１０１には図９（ｃ）のページレイアウト９０６が表示される。この状態で画像枠９０９が選択されると、ステップＳ８０７に移行し、画像枠９０９のシーケンス番号をＮとして保持し、ステップＳ９０８では画像枠５１０のシーケンス番号をＮＬとして保持することとなる。ステップＳ４０９では、Ｎ＜ＮＬとなることから判定の結果がＮＯとなり、ステップＳ８１３に移行する。
【００９７】
ステップＳ８１３では、制御部２０１は、前方最近接既存画像枠、後方最近接既存画像枠を検出する。前方最近接既存画像枠とは、選択した画像枠よりも前方に位置する画像挿入済みの画像枠であって、かつシーケンス番号が選択された画像枠のシーケンス番号に最も近いものである。同様に、後方最近接既存画像枠とは、選択された画像枠よりも後方に位置する画像挿入済みの画像枠であって、かつシーケンス番号が選択した画像枠のシーケンス番号に最も近いものである。図９（ｃ）では、画像枠９０５が前方最近接既存画像枠となり、この枠のシーケンス番号がＮＦとなる。また画像枠９１０が後方最近接既存画像枠となり、この枠のシーケンス番号がＮＢとなる。
【００９８】
続くステップＳ８１４では、制御部２０１は、ＮＦに当たるシーケンス番号に対応する画像枠９０５の画像の撮影時刻を取得し、この時刻をＴＦとする。
【００９９】
本実施形態では、画像データに付加されたメタデータ内に撮影日時情報があるものとし、撮影時刻を取得してメモリ２０２に保持するものとする。また同様にＮＢに対応する画像枠９１０の画像の撮影時刻をＴＢとしてメモリ２０２に保持する。
【０１００】
ステップＳ８１５では、制御部２０１は、記憶部２０３に保存されている全ての画像データの撮影日時情報をメタデータから取得し、取得した撮影時刻の中からＴＦ〜ＴＢの間の時間に撮影された画像を選択する。そして、ステップＳ８１５で選択された画像が図１０（ａ）のように候補画像ウィンドウ１０１１として選択可能にサブウィンドウに表示される。図１０（ａ）の候補画像ウィンドウ１０１１内に表示されている画像１０１２〜１０１５は、図５（ａ）から図５（ｃ）で挿入された画像が撮影される直前までに撮影された４枚の画像に対応することとなる。画像１０１２〜１０１５は、撮影日時の古い順番で時系列に配列されている。図１０（ａ）の状態で画像１０１５が選択されると（ステップＳ８１６）、画像枠９０９には画像１０１５が挿入され、図１０（ｂ）の状態となる。
【０１０１】
図１１（ａ）〜図１１（ｄ）は、画像枠５０９に対して行ったのと同様の画像選択処理を、画像枠９０７、９０８に対して実行した結果を例示している。
【０１０２】
以下、図８のフローチャートを用いずに、簡単に図１１（ａ）〜図１１（ｄ）に関する処理の流れを説明する。図１１（ａ）において、画像枠９０８が選択されると、画像選択モードに移行するので候補画像ウィンドウ１０１１が表示される。この候補画像の中から画像１０１３が選択されると、図１１（ｂ）のように画像枠９０８に画像１０１３が挿入される。この状態で画像枠９０７が選択されると、図１１（ｃ）のように画像枠９０７に対応する候補画像ウィンドウ１０１１が表示される。ここで先ほど画像１０１３が選択されたことから、画像１０１３より後に撮影された画像１０１４は候補として表示されない。図１１（ｃ）の状態で画像１０１２が選択されると、画像枠９０７には画像１０１２が挿入される。
【０１０３】
本実施形態では、アルバムデータ中の画像枠に撮影日時により時系列の順番を設けることで、アルバムページレイアウト表示モード、画像枠撮影モード、画像選択モードへの状態遷移を煩雑な作業なしに簡便に行える。
【０１０４】
また、本実施形態では、既存画像枠を選択した場合に画像候補が存在しない場合がありうる。そのような場合には選択された既存画像枠が空白にならないように、その既存画像枠の後の画像枠に挿入された画像を時系列を保ったまま１つずつ前につめるようユーザが指示できるようにしてもよい。
【０１０５】
［他の実施形態］本発明は、以下の処理を実行することによっても実現される。即ち、上記実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図２】
0005715433.tif 000002
【図４】
0005715433.tif 000003
【図５】
0005715433.tif 000004
【図６】
0005715433.tif 000005
【図８】
0005715433.tif 000006
【図１】
0005715433.tif 000007
【図３】
0005715433.tif 000008
【図７】
0005715433.tif 000009
【図９】
0005715433.tif 000010
【図１０】
0005715433.tif 000011
【図１１】
0005715433.tif 000012